(57)【要約】  ネットワークノードは、初期登録又は位置登録を要求するメッセージをユーザ装置から受信する受信部と、前記ユーザ装置がいずれのネットワークスライスにも接続不可である場合、前記ユーザ装置を登録中かつサービス非許可である状態に遷移させる接続制限に係る情報を含む初期登録又は位置登録を許可するメッセージを前記ユーザ装置に送信する送信部とを有する。
2020145273.tif 000002
【特許請求の範囲】
【請求項１】
初期登録又は位置登録を要求するメッセージをユーザ装置から受信する受信部と、
前記ユーザ装置がいずれのネットワークスライスにも接続不可である場合、前記ユーザ装置を登録中かつサービス非許可である状態に遷移させる接続制限に係る情報を含む初期登録又は位置登録を許可するメッセージを前記ユーザ装置に送信する送信部とを有するネットワークノード。
【請求項２】
前記ユーザ装置がＣＡＧ（Closed Access Group）セルのみに接続可能であるか否かを判定する制御部をさらに有し、前記判定の結果が前記ユーザ装置はＣＡＧセルのみに接続可能であって、かついずれのネットワークスライスにも接続不可である場合、前記送信部は、前記接続制限に係る情報を含む初期登録又は位置登録を許可するメッセージを前記ユーザ装置に送信する請求項１記載のネットワークノード。
【請求項３】
前記送信部は、前記接続制限に係る情報を、設定更新を命令するメッセージに含めて送信する請求項１記載のネットワークノード。
【請求項４】
初期登録又は位置登録を要求するメッセージをネットワークノードに送信する送信部と、
初期登録又は位置登録を許可するメッセージを前記ネットワークノードから受信する受信部と、
前記初期登録又は前記位置登録を許可するメッセージに、登録中かつサービス非許可である状態に遷移させる接続制限に係る情報が含まれていた場合、登録しているネットワークが有するネットワークスライス及び前記ネットワーク以外のネットワークに接続を試行しない制御部とを有するユーザ装置。
【発明の詳細な説明】
【技術分野】
【０００１】
本発明は、通信システムにおけるネットワークノード及びユーザ装置に関する。
【背景技術】
【０００２】
３ＧＰＰ（3rd Generation Partnership Project）では、システム容量の更なる大容量化、データ伝送速度の更なる高速化、無線区間における更なる低遅延化等を実現するために、５ＧあるいはＮＲ（New Radio）と呼ばれる無線通信方式（以下、当該無線通信方式を「５Ｇ」あるいは「ＮＲ」という。）の検討が進んでいる。５Ｇでは、１０Ｇｂｐｓ以上のスループットを実現しつつ無線区間の遅延を１ｍｓ以下にするという要求条件を満たすために、様々な無線技術の検討が行われている。【０００３】
ＮＲでは、ＬＴＥ（Long Term Evolution）のネットワークアーキテクチャにおけるコアネットワークであるＥＰＣ（Evolved Packet Core）に対応する５ＧＣ（5G Core Network）及びＬＴＥのネットワークアーキテクチャにおけるＲＡＮ（Radio Access Network）であるＥ−ＵＴＲＡＮ（Evolved
Universal Terrestrial Radio Access Network）に対応するＮＧ−ＲＡＮ（Next
Generation - Radio Access Network）を含むネットワークアーキテクチャが検討されている（例えば非特許文献１）。
【先行技術文献】
【非特許文献】
【０００４】
【非特許文献１】３ＧＰＰ  ＴＳ  ２３．５０１  Ｖ１５．３．０（２０１８−０９）
【発明の概要】
【発明が解決しようとする課題】
【０００５】
５Ｇシステムにおいて、プライベートネットワークスライスのみに接続可能なユーザ装置を実現しようとする場合、何らかの理由で当該プライベートネットワークスライスが使用できなくなったとき、ユーザ装置は他のネットワークスライスに接続を試みることが想定される。【０００６】
本発明は上記の点に鑑みてなされたものであり、ユーザ装置によるネットワークへの接続開始動作を制御することを目的とする。
【課題を解決するための手段】
【０００７】
開示の技術によれば、初期登録又は位置登録を要求するメッセージをユーザ装置から受信する受信部と、前記ユーザ装置がいずれのネットワークスライスにも接続不可である場合、前記ユーザ装置を登録中かつサービス非許可である状態に遷移させる接続制限に係る情報を含む初期登録又は位置登録を許可するメッセージを前記ユーザ装置に送信する送信部とを有するネットワークノードが提供される。
【発明の効果】
【０００８】
開示の技術によれば、ユーザ装置によるネットワークへの接続開始動作を制御することができる。
【図面の簡単な説明】
【０００９】
【図１】本発明の実施の形態における通信システムを説明するための図である。
【図２】本発明の実施の形態における登録手順を説明するためのシーケンス図である。
【図３】本発明の実施の形態におけるＵＥ設定更新手順を説明するためのシーケンス図である。
【図４】本発明の実施の形態におけるＵＥ動作を説明するためのフローチャートである。ある。
【図５】本発明の実施の形態におけるネットワークノード１０の機能構成の一例を示す図である。
【図６】本発明の実施の形態におけるユーザ装置２０の機能構成の一例を示す図である。
【図７】本発明の実施の形態におけるネットワークノード１０又はユーザ装置２０のハードウェア構成の一例を示す図である。
【発明を実施するための形態】
【００１０】
以下、図面を参照して本発明の実施の形態を説明する。なお、以下で説明する実施の形態は一例であり、本発明が適用される実施の形態は、以下の実施の形態に限られない。
【００１１】
本発明の実施の形態の無線通信システムの動作にあたっては、適宜、既存技術が使用される。ただし、当該既存技術は、例えば既存のＬＴＥであるが、既存のＬＴＥに限られない。また、本明細書で使用する用語「ＬＴＥ」は、特に断らない限り、ＬＴＥ−Ａｄｖａｎｃｅｄ、及び、ＬＴＥ−Ａｄｖａｎｃｅｄ以降の方式（例：ＮＲ）、又は無線ＬＡＮ（Local Area Network）を含む広い意味を有するものとする。
【００１２】
また、本発明の実施の形態において、無線パラメータ等が「設定される（Configure）」とは、所定の値が予め設定（Pre-configure）されることであってもよいし、ネットワークノード１０又はユーザ装置２０から通知される無線パラメータが設定されることであってもよい。
【００１３】
図１は、本発明の実施の形態における通信システムを説明するための図である。図１に示されるように、通信システムは、ユーザ装置２０であるＵＥ、複数のネットワークノード１０から構成される。以下、機能ごとに１つのネットワークノード１０が対応するものとするが、複数の機能を１つのネットワークノード１０が実現してもよいし、複数のネットワークノード１０が１つの機能を実現してもよい。また、以下に記載する「接続」は、論理的な接続であってもよいし、物理的な接続であってもよい。
【００１４】
ＲＡＮ（Radio Access Network）は、無線アクセス機能を有するネットワークノード１０であり、ＵＥ、ＡＭＦ（Access and Mobility Management Function）及びＵＰＦ（User plane function）と接続される。ＡＭＦは、ＲＡＮインタフェースの終端、ＮＡＳ（Non-Access Stratum）の終端、登録管理、接続管理、到達性管理、モビリティ管理等の機能を有するネットワークノード１０である。ＵＰＦは、ＤＮ（Data Network）と相互接続する外部に対するＰＤＵ（Protocol Data
Unit）セッションポイント、パケットのルーティング及びフォワーディング、ユーザプレーンのＱｏＳ（Quality
of Service）ハンドリング等の機能を有するネットワークノード１０である。ＵＰＦ及びＤＮは、ネットワークスライスを構成する。本発明の実施の形態における無線通信ネットワークでは、複数のネットワークスライスが構築されている。
【００１５】
ＡＭＦは、ＵＥ、ＲＡＮ、ＳＭＦ（Session Management function）、ＮＳＳＦ（Network
Slice Selection Function）、ＮＥＦ（Network Exposure Function）、ＮＲＦ（Network Repository Function）、ＡＵＳＦ（Authentication
Server Function）、ＰＣＦ（Policy Control Function）、ＡＦ（Application Function）と接続される。ＡＭＦ、ＳＭＦ、ＮＳＳＦ、ＮＥＦ、ＮＲＦ、ＡＵＳＦ、ＰＣＦ、ＡＦは、各々のサービスに基づくインタフェース、Ｎａｍｆ、Ｎｓｍｆ、Ｎｎｓｓｆ、Ｎｎｅｆ、Ｎｎｒｆ、Ｎａｕｓｆ、Ｎｐｃｆ、Ｎａｆを介して相互に接続されるネットワークノード１０である。
【００１６】
ＳＭＦは、セッション管理、ＵＥのＩＰ（Internet Protocol）アドレス割り当て及び管理、ＤＨＣＰ（Dynamic
Host Configuration Protocol）機能、ＡＲＰ（Address Resolution
Protocol）プロキシ、ローミング機能等の機能を有するネットワークノード１０である。ＮＥＦは、他のＮＦ（Network
Function）に能力及びイベントを通知する機能を有するネットワークノード１０である。ＮＳＳＦは、ＵＥが接続するネットワークスライスの選択、許可されるＮＳＳＡＩ（Network Slice Selection Assistance Information）の決定、設定されるＮＳＳＡＩの決定、ＵＥが接続するＡＭＦセットの決定等の機能を有するネットワークノード１０である。ＰＣＦは、ネットワークのポリシ制御を行う機能を有するネットワークノード１０である。ＡＦは、アプリケーションサーバを制御する機能を有するネットワークノード１０である。
【００１７】
ここで、あるＰＬＭＮ（Public land mobile network）が、５Ｇシステムを使用して企業内閉域網をプライベートネットワークスライスにて提供し、当該企業に産業用ＩｏＴ（Internet of Things）端末を工場内で運用させる場合、産業用ＩｏＴ端末はプライベートネットワークスライスのみに接続可能であって公衆網には接続しない制御が必要となる。
【００１８】
上記の産業用ＩｏＴ端末のようなプライベートネットワークスライス専用端末は、例えば、ユーザ側の運用変更等によって加入者情報が変更される場合、プライベートネットワークスライスが接続不可になって、すべてのネットワークスライスが使用不可の状態になることが想定される。プライベートネットワークスライス専用端末がいずれのネットワークスライスにも接続できなくなった場合に、既定の公衆網のネットワークスライスに接続を試行する可能性が考えられる。ユーザ観点では、プライベートネットワークスライス専用端末として運用しているため、接続をプライベートネットワークスライスのみに制限することが要求される。すなわち、プライベートネットワークスライス専用端末がいずれのネットワークスライスにも接続できなくなった場合に、既定の公衆網のネットワークスライス又は他のＰＬＭＮ等に接続を試行しないよう制御する必要がある。
【００１９】
そこで、プライベートネットワークスライス専用端末で運用されるＵＥ２０がいずれのネットワークスライスにも接続できなくなった場合に、５ＧＭＭ（5G System Mobility Management）サブレイヤ状態（sublayer
states）を５ＧＭＭ−ＲＥＧＩＳＴＥＲＤに遷移させ、さらに５ＧＭＭ−ＲＥＧＩＳＴＥＲＥＤのサブ状態（Substates
of state 5GMM-REGISTERED）を、５ＧＭＭ−ＲＥＧＩＳＴＥＲＥＤ．ＮＯＮ−ＡＬＬＯＷＥＤ−ＳＥＲＶＩＣＥに遷移させる。５ＧＭＭサブレイヤ状態が５ＧＭＭ−ＲＥＧＩＳＴＥＲＥＤであるとは、５ＧＭＭコンテクストが確立されている状態である。例えば、ＵＥ２０が、許可されていないトラッキングエリアのセルにキャンプオンしている場合、５ＧＭＭサブレイヤ状態及びそのサブ状態は、５ＧＭＭ−ＲＥＧＩＳＴＥＲＥＤ．ＮＯＮ−ＡＬＬＯＷＥＤ−ＳＥＲＶＩＣＥに遷移される。
【００２０】
図２は、本発明の実施の形態における登録手順を説明するためのシーケンス図である。ＵＥ２０を所望の契機で５ＧＭＭ−ＲＥＧＩＳＴＥＲＥＤ．ＮＯＮ−ＡＬＬＯＷＥＤ−ＳＥＲＶＩＣＥに遷移させるため、「公衆網へのアクセス及びプライベートネットワークスライスへのアクセスを制限するＩＥ（Information Element）」を新たに規定する。当該ＩＥは、ＮＡＳメッセージ「ＲＥＧＩＳＴＲＡＴＩＯＮ  ＡＣＣＥＰＴ」によってＡＭＦ１０からＵＥ２０に送信されてもよい。
【００２１】
図２に示されるステップＳ１１で、ＵＥ２０は、「ＲＥＧＩＳＴＲＡＴＩＯＮ  ＲＥＱＵＥＳＴ」をＡＭＦ１０に送信する。「ＲＥＧＩＳＴＲＡＴＩＯＮ  ＲＥＱＵＥＳＴ」は、初期登録又は位置登録を要求する場合に送信されるＮＡＳメッセージである。続いて、ＡＭＦ１０は、「公衆網へのアクセス及びプライベートネットワークスライスへのアクセスを制限するＩＥ」を含む「ＲＥＧＩＳＴＲＡＴＩＯＮ  ＡＣＣＥＰＴ」をＵＥ２０に送信する（Ｓ１２）。ＡＭＦ１０は、ＣＡＧ（Closed Access Group）セルのみに接続できるＵＥ２０であるか否かを確認した結果に基づいて、「公衆網へのアクセス及びプライベートネットワークスライスへのアクセスを制限するＩＥ」を含む「ＲＥＧＩＳＴＲＡＴＩＯＮ  ＡＣＣＥＰＴ」を送信してもよい。また、ＡＭＦ１０は、ＰＬＭＮにおいて接続が許可されるネットワークスライスを示すａｌｌｏｗｅｄ  ＮＳＳＡＩ（Network Slice Selection Assistance Information）に設定すべきネットワークスライスがない場合、すなわちいずれのネットワークスライスにも接続不可である場合に、「公衆網へのアクセス及びプライベートネットワークスライスへのアクセスを制限するＩＥ」を含む「ＲＥＧＩＳＴＲＡＴＩＯＮ  ＡＣＣＥＰＴ」を送信してもよい。続いて、ＵＥ２０は、「ＲＥＧＩＳＴＲＡＴＩＯＮ  ＣＯＭＰＬＥＴＥ」をＡＭＦ１０に送信する（Ｓ１３）。
【００２２】
図３は、本発明の実施の形態におけるＵＥ設定更新手順を説明するためのシーケンス図である。「公衆網へのアクセス及びプライベートネットワークスライスへのアクセスを制限するＩＥ」は、ＮＡＳメッセージ「ＣＯＮＦＩＧＵＲＡＴＩＯＮ  ＵＰＤＡＴＥ  ＣＯＭＭＡＮＤ」によってＡＭＦ１０からＵＥ２０に送信されてもよい。
【００２３】
ステップＳ２１において、ＡＭＦ１０は、「公衆網へのアクセス及びプライベートネットワークスライスへのアクセスを制限するＩＥ」を含む「ＣＯＮＦＩＧＵＲＡＴＩＯＮ  ＵＰＤＡＴＥ  ＣＯＭＭＡＮＤ」をＵＥ２０に送信する。続いて、ＵＥ２０は、ＣＯＮＦＩＧＵＲＡＴＩＯＮ  ＵＰＤＡＴＥ  ＣＯＭＰＬＥＴＥをＡＭＦ１０に送信する（Ｓ２２）。
【００２４】
なお、他の例としてステップＳ２３のように、ＡＭＦ１０が「公衆網へのアクセス及びプライベートネットワークスライスへのアクセスを制限するＩＥ」を含む「ＣＯＮＦＩＧＵＲＡＴＩＯＮ  ＵＰＤＡＴＥ  ＣＯＭＭＡＮＤ」をＵＥ２０に送信するのみで、シーケンスを完了してもよい。
【００２５】
図４は、本発明の実施の形態におけるＵＥ動作を説明するためのフローチャートである。図２又は図３に示される「公衆網へのアクセス及びプライベートネットワークスライスへのアクセスを制限するＩＥ」をＵＥ２０が受信した場合の動作を以下で説明する。
【００２６】
ステップＳ３１において、ＵＥ２０は、「ＲＥＧＩＳＴＲＡＴＩＯＮ  ＡＣＣＥＰＴ」又は「ＣＯＮＦＩＧＵＲＡＴＩＯＮ  ＵＰＤＡＴＥ  ＣＯＭＭＡＮＤ」に含まれる「公衆網へのアクセス及びプライベートネットワークスライスへのアクセスを制限するＩＥ」を受信する。続いて、ＵＥ２０は、５ＧＭＭサブレイヤ状態を「５ＧＭＭ−ＲＥＧＩＳＴＥＲＥＤ．ＮＯＮ−ＡＬＬＯＷＥＤ−ＳＥＲＶＩＣＥ」に遷移させる（Ｓ３２）。
【００２７】
ステップＳ３３に示されるように、ＵＥ２０は下記ａ）−ｅ）の動作を開始しない。
ａ）アイドル状態での登録手順及び周期的登録更新
ｂ）アイドル状態でのサービス要求手順
ｃ）コネクテッド状態での登録手順及び周期的登録更新
ｄ）コネクテッド状態でのサービス要求手順
ｅ）コネクテッド状態での５ＧシステムＳＭ（5G System Session Management）手順
【００２８】
図４に示されるように、所望の契機で５ＧＭＭサブレイヤ状態を「５ＧＭＭ−ＲＥＧＩＳＴＥＲＥＤ．ＮＯＮ−ＡＬＬＯＷＥＤ−ＳＥＲＶＩＣＥ」に遷移させることができる。また、ステップＳ３３の動作により、ＵＥ２０はプライベートネットワークスライスに接続できない場合であっても、ＰＬＭＮ内の公衆網のデフォルトネットワークスライスに接続を開始しないようにすることができる。また、登録手順は「ＲＥＧＩＳＲＡＴＩＯＮ  ＲＥＪＥＣＴ」により拒否されておらず「５ＧＭＭ−ＲＥＧＩＳＴＥＲＥＤ」状態であるため、ＵＥ２０は他のＰＬＭＮをサーチしない。さらに、「５ＧＭＭ−ＲＥＧＩＳＴＥＲＥＤ．ＮＯＮ−ＡＬＬＯＷＥＤ−ＳＥＲＶＩＣＥ」であってもネットワークからＵＥ２０に制御信号を送信することは可能であるため、必要に応じてネットワークからＵＥ２０を制御することができる。
【００２９】
上述の実施例により、ＵＥ２０は、プライベートネットワークスライスに接続できない場合であっても、ＰＬＭＮ内の公衆網に接続を開始せず、かつ他のＰＬＭＮに接続を開始しないようにすることができる。
【００３０】
すなわち、ユーザ装置によるネットワークへの接続開始動作を制御することができる。
【００３１】
（装置構成）
次に、これまでに説明した処理及び動作を実施するネットワークノード１０及びユーザ装置２０の機能構成例を説明する。ネットワークノード１０及びユーザ装置２０は上述した実施例を実施する機能を含む。ただし、ネットワークノード１０及びユーザ装置２０はそれぞれ、実施例の中の一部の機能のみを備えることとしてもよい。
【００３２】
＜ネットワークノード１０＞
図５は、ネットワークノード１０の機能構成の一例を示す図である。図５に示されるように、ネットワークノード１０は、送信部１１０と、受信部１２０と、設定部１３０と、制御部１４０とを有する。図５に示される機能構成は一例に過ぎない。本発明の実施の形態に係る動作を実施できるのであれば、機能区分及び機能部の名称はどのようなものでもよい。また、システムアーキテクチャ上で複数の異なる機能を有するネットワークノード１０は、機能ごとに分離された複数のネットワークノード１０から構成されてもよい。
【００３３】
送信部１１０は、ユーザ装置２０又は他のネットワークノード１０に送信する信号を生成し、当該信号を有線又は無線で送信する機能を含む。受信部１２０は、ユーザ装置２０又は他のネットワークノード１０から送信された各種の信号を受信し、受信した信号から、例えばより上位のレイヤの情報を取得する機能を含む。
【００３４】
設定部１３０は、予め設定される設定情報、及び、ユーザ装置２０に送信する各種の設定情報を記憶装置に格納し、必要に応じて記憶装置から読み出す。設定情報の内容は、例えば、ユーザ装置２０の接続が許可されるネットワークスライスに係る情報等である。
【００３５】
制御部１４０は、実施例において説明したように、ユーザ装置２０のアクセス制御を含む初期登録又は位置登録に係る処理を行う。また、制御部１４０は、ユーザ装置２０の設定変更に係る処理を行う。制御部１４０における信号送信に関する機能部を送信部１１０に含め、制御部１４０における信号受信に関する機能部を受信部１２０に含めてもよい。
【００３６】
＜ユーザ装置２０＞
図６は、ユーザ装置２０の機能構成の一例を示す図である。図６に示されるように、ユーザ装置２０は、送信部２１０と、受信部２２０と、設定部２３０と、制御部２４０とを有する。図６に示される機能構成は一例に過ぎない。本発明の実施の形態に係る動作を実施できるのであれば、機能区分及び機能部の名称はどのようなものでもよい。
【００３７】
送信部２１０は、送信データから送信信号を作成し、当該送信信号を無線で送信する。受信部２２０は、各種の信号を無線受信し、受信した物理レイヤの信号からより上位のレイヤの信号を取得する。また、受信部２２０は、ネットワークノード１０から送信されるＮＲ−ＰＳＳ、ＮＲ−ＳＳＳ、ＮＲ−ＰＢＣＨ、ＤＬ／ＵＬ制御信号又は参照信号等を受信する機能を有する。
【００３８】
設定部２３０は、受信部２２０によりネットワークノード１０から受信した各種の設定情報を記憶装置に格納し、必要に応じて記憶装置から読み出す。また、設定部２３０は、予め設定される設定情報も格納する。設定情報の内容は、例えば、接続が許可されるネットワークスライスに係る情報等である。
【００３９】
制御部２４０は、実施例において説明したように、初期登録、位置登録及び設定変更に係る処理を行う。また、制御部２４０は、ネットワーク及びネットワークスライスへの接続制御に係る処理を行う。制御部２４０における信号送信に関する機能部を送信部２１０に含め、制御部２４０における信号受信に関する機能部を受信部２２０に含めてもよい。
【００４０】
（ハードウェア構成）
上記実施形態の説明に用いたブロック図（図５及び図６）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【００４１】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００４２】
例えば、本開示の一実施の形態におけるネットワークノード１０、ユーザ装置２０等は、本開示の無線通信方法の処理を行うコンピュータとして機能してもよい。図７は、本開示の一実施の形態に係るネットワークノード１０及びユーザ装置２０のハードウェア構成の一例を示す図である。上述のネットワークノード１０及びユーザ装置２０は、物理的には、プロセッサ１００１、記憶装置１００２、補助記憶装置１００３、通信装置１００４、入力装置１００５、出力装置１００６、バス１００７などを含むコンピュータ装置として構成されてもよい。
【００４３】
なお、以下の説明では、「装置」という文言は、回路、デバイス、ユニット等に読み替えることができる。ネットワークノード１０及びユーザ装置２０のハードウェア構成は、図に示した各装置を１つ又は複数含むように構成されてもよいし、一部の装置を含まずに構成されてもよい。
【００４４】
ネットワークノード１０及びユーザ装置２０における各機能は、プロセッサ１００１、記憶装置１００２等のハードウェア上に所定のソフトウェア（プログラム）を読み込ませることによって、プロセッサ１００１が演算を行い、通信装置１００４による通信を制御したり、記憶装置１００２及び補助記憶装置１００３におけるデータの読み出し及び書き込みの少なくとも一方を制御したりすることによって実現される。
【００４５】
プロセッサ１００１は、例えば、オペレーティングシステムを動作させてコンピュータ全体を制御する。プロセッサ１００１は、周辺装置とのインタフェース、制御装置、演算装置、レジスタ等を含む中央処理装置（ＣＰＵ：Central Processing Unit）で構成されてもよい。例えば、上述の制御部１４０、制御部２４０等は、プロセッサ１００１によって実現されてもよい。
【００４６】
また、プロセッサ１００１は、プログラム（プログラムコード）、ソフトウェアモジュール又はデータ等を、補助記憶装置１００３及び通信装置１００４の少なくとも一方から記憶装置１００２に読み出し、これらに従って各種の処理を実行する。プログラムとしては、上述の実施の形態において説明した動作の少なくとも一部をコンピュータに実行させるプログラムが用いられる。例えば、図５に示したネットワークノード１０の制御部１４０は、記憶装置１００２に格納され、プロセッサ１００１で動作する制御プログラムによって実現されてもよい。また、例えば、図６に示したユーザ装置２０の制御部２４０は、記憶装置１００２に格納され、プロセッサ１００１で動作する制御プログラムによって実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されてもよい。
【００４７】
記憶装置１００２は、コンピュータ読み取り可能な記録媒体であり、例えば、ＲＯＭ（Read Only Memory）、ＥＰＲＯＭ（Erasable Programmable
ROM）、ＥＥＰＲＯＭ（Electrically Erasable Programmable ROM）、ＲＡＭ（Random Access Memory）等の少なくとも１つによって構成されてもよい。記憶装置１００２は、レジスタ、キャッシュ、メインメモリ（主記憶装置）等と呼ばれてもよい。記憶装置１００２は、本開示の一実施の形態に係る通信方法を実施するために実行可能なプログラム（プログラムコード）、ソフトウェアモジュール等を保存することができる。
【００４８】
補助記憶装置１００３は、コンピュータ読み取り可能な記録媒体であり、例えば、ＣＤ−ＲＯＭ（Compact Disc ROM）等の光ディスク、ハードディスクドライブ、フレキシブルディスク、光磁気ディスク（例えば、コンパクトディスク、デジタル多用途ディスク、Ｂｌｕ−ｒａｙ（登録商標）ディスク）、スマートカード、フラッシュメモリ（例えば、カード、スティック、キードライブ）、フロッピー（登録商標）ディスク、磁気ストリップ等の少なくとも１つによって構成されてもよい。上述の記憶媒体は、例えば、記憶装置１００２及び補助記憶装置１００３の少なくとも一方を含むデータベース、サーバその他の適切な媒体であってもよい。
【００４９】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、送受信アンテナ、アンプ部、送受信部、伝送路インタフェース等は、通信装置１００４によって実現されてもよい。送受信部は、送信部と受信部とで、物理的に、または論理的に分離された実装がなされてもよい。
【００５０】
入力装置１００５は、外部からの入力を受け付ける入力デバイス（例えば、キーボード、マウス、マイクロフォン、スイッチ、ボタン、センサ等）である。出力装置１００６は、外部への出力を実施する出力デバイス（例えば、ディスプレイ、スピーカー、LEDランプ等）である。なお、入力装置１００５及び出力装置１００６は、一体となった構成（例えば、タッチパネル）であってもよい。
【００５１】
また、プロセッサ１００１及び記憶装置１００２等の各装置は、情報を通信するためのバス１００７によって接続される。バス１００７は、単一のバスを用いて構成されてもよいし、装置間ごとに異なるバスを用いて構成されてもよい。
【００５２】
また、ネットワークノード１０及びユーザ装置２０は、マイクロプロセッサ、デジタル信号プロセッサ（ＤＳＰ：Digital Signal Processor）、ＡＳＩＣ（Application
Specific Integrated Circuit）、ＰＬＤ（Programmable Logic
Device）、ＦＰＧＡ（Field Programmable Gate Array）等のハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００５３】
（実施の形態のまとめ）
以上、説明したように、本発明の実施の形態によれば、初期登録又は位置登録を要求するメッセージをユーザ装置から受信する受信部と、前記ユーザ装置がいずれのネットワークスライスにも接続不可である場合、前記ユーザ装置を登録中かつサービス非許可である状態に遷移させる接続制限に係る情報を含む初期登録又は位置登録を許可するメッセージを前記ユーザ装置に送信する送信部とを有するネットワークノードが提供される。
【００５４】
上記の構成により、ＵＥ２０は、プライベートネットワークスライスに接続できない場合であっても、ＰＬＭＮ内の公衆網に接続を開始せず、かつ他のＰＬＭＮに接続を開始しないようにすることができる。すなわち、ユーザ装置によるネットワークへの接続開始動作を制御することができる。
【００５５】
前記ユーザ装置がＣＡＧ（Closed Access Group）セルのみに接続可能であるか否かを判定する制御部をさらに有し、前記判定の結果が前記ユーザ装置はＣＡＧセルのみに接続可能であって、かついずれのネットワークスライスにも接続不可である場合、前記送信部は、前記接続制限に係る情報を含む初期登録又は位置登録を許可するメッセージを前記ユーザ装置に送信してもよい。当該構成により、ＵＥ２０は、ＣＡＧセルのみに接続できるＵＥであってかつプライベートネットワークスライスに接続できない場合に、ＰＬＭＮ内の公衆網に接続を開始せず、かつ他のＰＬＭＮに接続を開始しないようにすることができる。
【００５６】
前記送信部は、前記接続制限に係る情報を、設定更新を命令するメッセージに含めて送信してもよい。当該構成により、初期登録又は位置登録時に限らず任意のタイミングでＵＥ２０のネットワークへの接続開始動作を制御することができる。
【００５７】
また、本発明の実施の形態によれば、初期登録又は位置登録を要求するメッセージをネットワークノードに送信する送信部と、初期登録又は位置登録を許可するメッセージを前記ネットワークノードから受信する受信部と、前記初期登録又は前記位置登録を許可するメッセージに、登録中かつサービス非許可である状態に遷移させる接続制限に係る情報が含まれていた場合、登録しているネットワークが有するネットワークスライス及び前記ネットワーク以外のネットワークに接続を試行しない制御部とを有するユーザ装置が提供される。
【００５８】
上記の構成により、ＵＥ２０は、プライベートネットワークスライスに接続できない場合であっても、ＰＬＭＮ内の公衆網に接続を開始せず、かつ他のＰＬＭＮに接続を開始しないようにすることができる。すなわち、ユーザ装置によるネットワークへの接続開始動作を制御することができる。
【００５９】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ネットワークノード１０及びユーザ装置２０は機能的なブロック図を用いて説明されたが、そのような装置はハードウェアで、ソフトウェアで又はそれらの組み合わせで実現されてもよい。本発明の実施の形態に従ってネットワークノード１０が有するプロセッサにより動作するソフトウェア及び本発明の実施の形態に従ってユーザ装置２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００６０】
また、情報の通知は、本開示で説明した態様／実施形態に限られず、他の方法を用いて行われてもよい。例えば、情報の通知は、物理レイヤシグナリング（例えば、ＤＣＩ（Downlink Control Information）、ＵＣＩ（Uplink
Control Information））、上位レイヤシグナリング（例えば、ＲＲＣ（Radio Resource
Control）シグナリング、ＭＡＣ（Medium Access Control）シグナリング、報知情報（ＭＩＢ（Master Information Block）、ＳＩＢ（System
Information Block））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC
Connection Reconfiguration）メッセージ等であってもよい。
【００６１】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００６２】
本明細書で説明した各態様／実施形態の処理手順、シーケンス、フローチャート等は、矛盾の無い限り、順序を入れ替えてもよい。例えば、本開示において説明した方法については、例示的な順序を用いて様々なステップの要素を提示しており、提示した特定の順序に限定されない。
【００６３】
本明細書においてネットワークノード１０によって行われるとした特定動作は、場合によってはその上位ノード（upper node）によって行われることもある。ネットワークノード１０を有する１つ又は複数のネットワークノード（network nodes）からなるネットワークにおいて、ユーザ装置２０との通信のために行われる様々な動作は、ネットワークノード１０及びネットワークノード１０以外の他のネットワークノード（例えば、ＭＭＥ又はＳ−ＧＷ等が考えられるが、これらに限られない）の少なくとも１つによって行われ得ることは明らかである。上記においてネットワークノード１０以外の他のネットワークノードが１つである場合を例示したが、他のネットワークノードは、複数の他のネットワークノードの組み合わせ（例えば、ＭＭＥ及びＳ−ＧＷ）であってもよい。
【００６４】
本開示において説明した情報又は信号等は、上位レイヤ（又は下位レイヤ）から下位レイヤ（又は上位レイヤ）へ出力され得る。複数のネットワークノードを介して入出力されてもよい。
【００６５】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００６６】
本開示における判定は、１ビットで表される値（０か１か）によって行われてもよいし、真偽値（Boolean：true又はfalse）によって行われてもよいし、数値の比較（例えば、所定の値との比較）によって行われてもよい。
【００６７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００６８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００６９】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００７０】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【００７１】
本開示において使用する「システム」及び「ネットワーク」という用語は、互換的に使用される。
【００７２】
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００７３】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００７４】
本開示においては、「基地局（ＢＳ：Base  Station）」、「無線基地局」、「基地局装置」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【００７５】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【００７６】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【００７７】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００７８】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet of Things）機器であってもよい。
【００７９】
また、本開示における基地局は、ユーザ端末で読み替えてもよい。例えば、基地局及びユーザ端末間の通信を、複数のユーザ装置２０間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述のネットワークノード１０が有する機能をユーザ装置２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【００８０】
同様に、本開示におけるユーザ端末は、基地局で読み替えてもよい。この場合、上述のユーザ端末が有する機能を基地局が有する構成としてもよい。
【００８１】
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【００８２】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【００８３】
参照信号は、ＲＳ（Reference  Signal）と略称することもでき、適用される標準によってパイロット（Pilot）と呼ばれてもよい。
【００８４】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００８５】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【００８６】
上記の各装置の構成における「手段」を、「部」、「回路」、「デバイス」等に置き換えてもよい。
【００８７】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【００８８】
本開示において、例えば、英語でのa, an及びtheのように、翻訳により冠詞が追加された場合、本開示は、これらの冠詞の後に続く名詞が複数形であることを含んでもよい。
【００８９】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【００９０】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００９１】
なお、本開示におけるＡＭＦは、ネットワークノードの一例である。ＰＬＭＮは、ネットワークの一例である。「ＲＥＧＩＳＴＲＡＴＩＯＮ  ＲＥＱＵＥＳＴ」は、初期登録又は位置登録を要求するメッセージの一例である。「ＲＥＧＩＳＴＲＡＴＩＯＮ  ＡＣＣＥＰＴ」は、初期登録又は位置登録を許可するメッセージの一例である。「公衆網へのアクセス及びプライベートネットワークスライスへのアクセスを制限するＩＥ」は、接続制限に係る情報の一例である。５ＧＭＭ−ＲＥＧＩＳＴＥＲＥＤ．ＮＯＮ−ＡＬＬＯＷＥＤ−ＳＥＲＶＩＣＥは、登録中かつサービス非許可である状態の一例である。「ＣＯＮＦＩＧＵＲＡＴＩＯＮ  ＵＰＤＡＴＥ  ＣＯＭＭＡＮＤ」は、設定更新を命令するメッセージの一例である。
【００９２】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【００９３】
本国際特許出願は２０１９年１月１１日に出願した日本国特許出願第２０１９−００３８３４号に基づきその優先権を主張するものであり、日本国特許出願第２０１９−００３８３４号の全内容を本願に援用する。
【符号の説明】
【００９４】
１０        ネットワークノード
１１０      送信部
１２０      受信部
１３０      設定部
１４０      制御部
２０        ユーザ装置
２１０      送信部
２２０      受信部
２３０      設定部
２４０      制御部
１００１    プロセッサ
１００２    記憶装置
１００３    補助記憶装置
１００４    通信装置
１００５    入力装置
１００６    出力装置
【図１】
2020145273.tif 000003
【図２】
2020145273.tif 000004
【図３】
2020145273.tif 000005
【図４】
2020145273.tif 000006
【図５】
2020145273.tif 000007
【図６】
2020145273.tif 000008
【図７】
2020145273.tif 000009
【国際調査報告】
2020145273.tif 000010
2020145273.tif 000011
2020145273.tif 000012